(57)【要約】【課題】ＩＣタグを、製造工程および対象物に取り付けられて運用される際に加わる、物理負荷への耐性を持たせながら、ガーゼやリネン品等の、可とう性がある物品に取り付け可能とする。【解決手段】補強インレット７の両面を軟質外装９によって挟み込み、一体化させて構成されるＩＣタグであって、補強インレットが、インレット４の片面あるいは両面にコア接着剤を用いて補強シート６を貼り合わせたものであり、インレット４が、ＩＣチップとアンテナとを装備したものであるか、あるいは、ＩＣパッケージとアンテナとを装備したものであり、このＩＣパッケージがＩＣチップとリードフレームとを封止樹脂でモールドしたものであり、コア接着剤５と補強シートの双方、または補強シートにスリット８が設けられており、このスリットが、前記ＩＣチップ若しくはＩＣパッケージの短辺長さ未満の長さを有する。【選択図】図１
2014241084.tif 000002
【特許請求の範囲】
【請求項１】
補強インレットの両面を軟質外装によって挟み込み、一体化させて構成されるＩＣタグであって、
前記補強インレットが、インレットの片面あるいは両面にコア接着剤を用いて補強シートを貼り合わせたものであり、
前記インレットが、ＩＣチップとアンテナとを装備したものであるか、あるいは、ＩＣパッケージとアンテナとを装備したものであり、このＩＣパッケージがＩＣチップとリードフレームとを封止樹脂でモールドしたものであり、
前記コア接着剤と補強シートの双方、または補強シートにスリットが設けられており、このスリットが、前記ＩＣチップ若しくはＩＣパッケージの短辺長さ未満の長さを有することを特徴とするＩＣタグ。
【請求項２】
前記スリットを、同一方向に、同一間隔で設け、隣り合うスリットの間隔をスリット長さ以上にしたことを特徴とする請求項１に記載のＩＣタグ。
【請求項３】
前記スリットを、縦横二方向に、同一間隔で設け、隣り合うスリットの間隔をスリット長さ以上にしたことを特徴とする請求項１に記載のＩＣタグ。
【請求項４】
前記スリットを、互いに直行する方向に十字状に設け、隣り合う十字状スリットを一様に等間隔とし、隣り合う十字状スリットの間隔をスリット長さ以上にしたことを特徴とする請求項１に記載のＩＣタグ。
【請求項５】
前記スリットが円形状であって、隣り合う円形状スリットが一様に等間隔とし、隣り合う円形状スリットの間隔を、円形状スリットの直径の長さ以上にしたことを特徴とする請求項１に記載のＩＣタグ。
【請求項６】
前記コア接着剤を、熱硬化性樹脂とし、その伸び率を、補強シートの伸び率よりも大きくしたことを特徴とする請求項１〜５のいずれか一項に記載のＩＣタグ。
【発明の詳細な説明】
【技術分野】
【０００１】
湿布薬等ガーゼ状の可とう性がある物品に取り付けられる湿布用ＩＣタグに関する。
【背景技術】
【０００２】
ＩＣタグは導電体から成る線状のアンテナと、このアンテナに接続されたＩＣチップとを主要な構成部品として構成されるものである。ＩＣチップにはさまざまな情報を記憶させることができ、アンテナを通して外部のリーダーライターとの間で情報の授受を行うことができる。一般には、これらアンテナとＩＣチップとを保護するため、その表裏面に外装材を接着してＩＣタグとしている。
【０００３】
そして、ＩＣタグは、これを種々の製品に添付して、この製品または商品に関連する情報を記憶するために使用されている。ＩＣチップに記憶される情報には、例えば、製品の材料、加工方法、品質、生産地、生産者や販売者、製品の取扱い方法、あるいはこれらに関連する注意事項などがある。そして、これら情報は、製品の流通過程において、あるいは、販売後に、必要に応じてＩＣチップに記憶させ、また、読み出される。
【０００４】
ＩＣタグを添付する製品には種々のものがあるが、ガーゼやリネン品、フレキシブル容器などがあり、クリーニング分野（リネン用品、衣類等）医療分野（ガーゼ、術着等）等の用途が考えられる。
【０００５】
医療用のガーゼに取り付けて手術前後での数量管理に使用すると、取り付けられたＩＣタグに違和感を感じるケースが多々ある。これは、上記物品そのものに可とう性があり、そこに取り付けるＩＣタグにも、薄さや可とう性を求められてきており、外装が軟質なＩＣタグの提案がされている（特許文献１）。
【０００６】
軟質ＩＣタグでは、外装が軟質材料で構成されるため、外力が加わって外装が変形する際に生じる応力が内蔵部品にも負荷され、軟質材料での封止工程では、プレス加工による軟質材料の貼り合わせやインサート成型などにより生じる圧縮応力が加えられるため、その際内蔵部品には大きな延伸方向の応力が加わることとなり、最悪の場合、内蔵部品が破壊してしまう。
【０００７】
薄く、軟質で可とう性のあるＩＣタグを形成した場合、外装の変形時の応力負荷を内蔵部品が大きく受けることになる。可とう性あるＩＣタグにおける、ＩＣチップやアンテナの保護方法として、ＩＣチップおよびアンテナ近傍に軟質外装材に比べて剛性の高い材料を配置して、内蔵部品に加わる応力負荷を低減する方法が提案されている（特許文献２）。
【０００８】
上記問題に対して、内蔵部品に剛性の高い補強（補強シート等）を施して、外装を軟質材料で封止することで対応している。しかしながら、軟質外装の内部に外装よりも高剛性の構造体が配置されるため、ＩＣタグ全体に硬さ（コシ）が生じてしまい、可とう性を有する管理対象、特にガーゼなどのような薄手のものへの取付け時には、違和感が大きくなってしまう。
【先行技術文献】
【特許文献】
【０００９】
【特許文献１】特開２００５‐５６３６２号公報
【特許文献２】特許４８２８０８８号公報
【発明の概要】
【発明が解決しようとする課題】
【００１０】
ＩＣタグを、製造工程および対象物に取り付けられて運用される際に加わる、物理負荷への耐性を持たせながら、ガーゼやリネン品等の、可とう性がある物品に取り付けられ事が可能なＩＣタグを提供する。
【課題を解決するための手段】
【００１１】
上記の課題を解決するための手段として、請求項１に記載の発明は、補強インレットの両面を軟質外装によって挟み込み、一体化させて構成されるＩＣタグであって、
前記補強インレットが、インレットの片面あるいは両面にコア接着剤を用いて補強シートを貼り合わせたものであり、
前記インレットが、ＩＣチップとアンテナとを装備したものであるか、あるいは、ＩＣパッケージとアンテナとを装備したものであり、このＩＣパッケージがＩＣチップとリードフレームとを封止樹脂でモールドしたものであり、
前記コア接着剤と補強シートの双方、または補強シートにスリットが設けられており、このスリットが、前記ＩＣチップ若しくはＩＣパッケージの短辺長さ未満の長さを有することを特徴とするＩＣタグである。
【００１２】
また、請求項２に記載の発明は、前記スリットを、同一方向に、同一間隔で設け、隣り合うスリットの間隔をスリット長さ以上にしたことを特徴とする請求項１に記載のＩＣタグである。
【００１３】
また、請求項３に記載の発明は、前記スリットを、縦横二方向に、同一間隔で設け、隣り合うスリットの間隔をスリット長さ以上にしたことを特徴とする請求項１に記載のＩＣタグである。
【００１４】
また、請求項４に記載の発明は、前記スリットを、互いに直行する方向に十字状に設け、隣り合う十字状スリットを一様に等間隔とし、隣り合う十字状スリットの間隔をスリット長さ以上にしたことを特徴とする請求項１に記載のＩＣタグである。
【００１５】
また、請求項５に記載の発明は、前記スリットが円形状であって、隣り合う円形状スリットが一様に等間隔とし、隣り合う円形状スリットの間隔を、円形状スリットの直径の長さ以上にしたことを特徴とする請求項１に記載のＩＣタグである。
【００１６】
また、請求項６に記載の発明は、前記コア接着剤を、熱硬化性樹脂とし、その伸び率を、補強シートの伸び率よりも大きくしたことを特徴とする請求項１〜５のいずれか一項に記載のＩＣタグである。
【発明の効果】
【００１７】
ＩＣチップ部およびアンテナ部に加わる応力負荷（特に延伸応力）から保護するために、補強シートを設け、補強シートとコア接着剤、または補強シートにスリットを設けることで、補強シートの硬さ（コシ）を低減できＩＣタグの柔軟性を高め、使用者が感じる違和感を低減でき補強シートにスリットを全体的に一様に設ける構成のため、製造工程で煩雑な位置あわせが不要となり、コスト影響も抑えられる。
【図面の簡単な説明】
【００１８】
【図１】本発明の、補強シート６およびコア接着剤５にスリット８を設け、軟質外装９により一体化させた湿布用ＩＣタグ１０を示した断面概念図である。
【図２】一般的な、インレット４の構成を示した断面概念図である。
【図３】本発明の、補強シート６およびコア接着剤５に設けたスリット８を、同一方向に、同一間隔で設け、隣り合うスリット８の間隔をスリット長さ以上とした湿布用ＩＣタグ１０を示した平面概念図である。
【図４】本発明の、補強シート６およびコア接着剤５に設けられたスリット８を、縦横二方向に、同一間隔で設け、隣り合うスリット８の間隔をスリット長さ以上とした湿布用ＩＣタグ１０を示した平面概念図である。
【図５】本発明の、補強シート６およびコア接着剤５に設けられたスリット８を、互いに直行する方向に十字状に設け、隣り合う十字状スリットを一様に等間隔で、隣り合う十字状スリットの間隔をスリット長さ以上とした湿布用ＩＣタグ１０を示した平面概念図である。
【図６】本発明の、補強シート６およびコア接着剤５に設けられたスリット８が円形で、隣り合う円形状スリットを一様に等間隔で、隣り合う円形状スリットの間隔を、円形状スリットの直径の長さ以上とした湿布用ＩＣタグ１０を示した平面概念図である。
【発明を実施するための形態】
【００１９】
以下本発明を実施するための形態を、図面を用いて詳細に説明する。図１は、本発明の湿布用ＩＣタグ１０の断面を示しており、図２に示すフィルム基材１にアンテナ２とＩＣチップ３を設けたインレット４の、両面あるいは片面に、コア接着剤５を介して、補強シート６を貼りあわせて補強インレット７を形成し、コア接着剤５と補強シート６、または補強シート６に、ＩＣチップもしくはＩＣパッケージの短辺長未満の長さの、スリット８を設けた構成となっている。
【００２０】
コア接着層５は、熱硬化性接着剤であり、例えば、エポキシ、ウレタン、シリコーン系の接着剤などが使用できる。
【００２１】
内蔵部品に加わる応力負荷を低減するため、補強シート６としては、軟質外装材に比べて伸びにくく剛性の高い材料であることが望ましく、例えば、ＰＥＴ、ＰＩ、ＰＰＳ、ＰＥＩ、ＰＥＮなどの合成樹脂からなるフィルムシートが使用できる。
【００２２】
インレットの片面あるいは両面に貼りあわされるコア接着層５と補強シート６の厚みは０．２ｍｍ〜２．０ｍｍであり、両面の場合、それぞれ厚みが異なっていても良い。
【００２３】
インレット４の片面あるいは両面にコア接着層５を用い、補強シート６を貼りあわせた補強インレット７は、さらに軟質樹脂である熱硬化性エラストマーからなる軟質外装９により挟み込みこまれ、一体化されており、例えば、シリコーン、フッ素ゴム、ウレタンゴム、ＥＰＤＭ、ＮＢＲ、ＩＩＲなどの外装封止材料として使用できる。
【００２４】
コア接着剤５と補強シート６、または補強シート６に、ＩＣチップもしくはＩＣパッケージの短辺長未満の長さで、スリットを設け、補強シート６とコア接着層５を先に貼り合せた状態でスリット８加工してもよいし、補強シート６とシート状に加工したコア接着層５に、それぞれ別々にスリット８加工した後貼り合せても良い。
【００２５】
また、補強シート６のみにスリット８が設けられていても良く、シート状に加工されたコア接着層５にのみ、スリット８を設けても良い。
【００２６】
スリット８の形状の一例を図３に示すが、同一方向に、同一間隔で設けてある。隣り合うスリット８の間隔は、スリット長さ以上であることが好ましい。
【００２７】
更なる例を図４に示すが、縦横二方向に、同一間隔で設けてある。隣り合うスリット８の間隔はスリット長さ以上であることが好ましい。
【００２８】
更なる例を図５に示すが、互いに直行する方向に十字状に設け、隣り合う十字状スリットが一様に等間隔に設けてある。隣り合う十字状スリットの間隔はスリット長さ以上であることが好ましい。
【００２９】
更なる例を図６に示すが、円形で、隣り合う円形状スリットが一様に等間隔に設けてある。隣り合う円形状スリットの間隔は、円形状スリットの直径の長さ以上であることが好ましい。
【００３０】
コア接着剤５と補強シート６、または補強シート６にスリット８を設けることで、ＩＣチップ部およびアンテナ部に加わる応力負荷（特に延伸応力）による破壊を防止でき、補強シートの硬さ（コシ）を低減できＩＣタグの柔軟性を高め、使用者が感じる違和感を低減でき、しかも、コア接着剤５と補強シート６、または補強シート６にスリット８を、一様に設ける構成のため、製造工程で煩雑な位置あわせが不要となり、コスト影響も抑えられる。
【符号の説明】
【００３１】
１・・・フィルム基材
２・・・アンテナ
３・・・ＩＣチップ
４・・・インレット
５・・・コア接着剤
６・・・補強シート
７・・・補強インレット
８・・・スリット
９・・・軟質外装
１０・・・湿布用ＩＣタグ
【図１】
2014241084.tif 000003
【図２】
2014241084.tif 000004
【図３】
2014241084.tif 000005
【図４】
2014241084.tif 000006
【図５】
2014241084.tif 000007
【図６】
2014241084.tif 000008